(57)【要約】【課題】  比較的短時間で装置を起動できる接続装置を提供する。【解決手段】  複数の回路基板２を受け入れる接続装置であって、受け入れた回路基板２の数に基づいて、各回路基板に対応して互いに異なる起動遅延時間を決定し、決定された起動遅延時間に関する信号を対応する各回路基板２に出力し、各回路基板２が、出力された起動遅延時間だけ待機してから起動するよう制御される。【選択図】        図１
2005109011.tif 000002
【特許請求の範囲】
【請求項１】
複数の回路基板を受け入れる接続装置であって、
前記受け入れた回路基板の数に基づいて、各回路基板に対応して互いに異なる起動遅延時間を決定する手段と、
前記決定された起動遅延時間に関する信号を対応する各回路基板に出力する手段と、
を含み、
各回路基板が、前記出力された起動遅延時間だけ待機してから起動するよう制御されることを特徴とする接続装置。
【請求項２】
それぞれが回路基板を受け入れ可能な、第１から第ｎ番までのスロットを具備する接続基板上に設けられる回路要素を有する接続装置であって、
前記回路要素は、第ｉ番目のスロットに対応して設けられ、第１から第ｉ−１番目までのスロットの少なくとも一つに挿入されている回路基板のそれぞれに対応する起動遅延時間を、それぞれ所定時間だけ延長させ、第ｉ番目のスロットに回路基板が挿入された場合にのみ作動する回路要素である
ことを特徴とする接続装置。
【請求項３】
起動を遅延させる対象となる遅延対象回路をそれぞれ含む回路基板を受け入れ可能な、第１から第ｎ番までのスロットを具備する接続基板上に設けられる回路要素を有する接続装置であって、
前記回路要素は、第ｉ番目のスロットに対応して設けられ、当該第ｉ番目のスロットに回路基板が挿入された場合に、第１から第ｉ−１番目までのスロットの少なくとも一つに挿入されている回路基板側のそれぞれの回路の少なくとも一部に電気的に結合して作動し、各遅延対象回路における起動遅延時間をそれぞれ所定時間だけ延長させる回路要素である
ことを特徴とする接続装置。
【請求項４】
請求項２又は３に記載の接続装置であって、
延長される前記所定時間を決定する前記回路要素はそれぞれ略共通であることを特徴とする接続装置。
【請求項５】
請求項２から４のいずれか一項に記載の接続装置であって、
前記回路要素は、キャパシタ、リアクタンス、抵抗器のいずれかを少なくとも一つ含んでなることを特徴とする接続装置。
【請求項６】
請求項２から５のいずれか一項に記載の接続装置のスロットを具備する接続基板に挿入される回路基板であって、
前記スロットを具備する接続基板側の回路要素によって決定された起動遅延時間だけ、起動時間を遅延させる起動遅延手段と、
接続されたスロットに対応して設けられた回路要素を作動させる手段と、
を含むことを特徴とする回路基板。
【請求項７】
請求項６に記載の回路基板であって、
前記回路要素を作動させる手段は、前記回路要素とともに閉回路を形成する配線であることを特徴とする回路基板。
【請求項８】
互いに異なる種類の回路基板の群を、それぞれ受け入れ可能な、スロット群を有し、各スロット群は、ｋ番目の種類の回路基板群を受け入れる、第Ｓｋから第Ｅｋ番までのスロットを含んでなる、接続基板上に設けられる回路要素を有する接続装置であって、
前記回路要素は、第Ｓｋ＋ｉ番目（Ｓｋ＋ｉ≦Ｅｋ）のスロットに対応して設けられ、第Ｓｋ＋ｉ番目のスロットに回路基板が挿入された場合にのみ作動して、第Ｓｋから第Ｓｋ＋ｉ−１番目までのスロットの少なくとも一つに挿入されている回路基板にそれぞれ対応する起動遅延時間を、それぞれ所定時間だけ延長させる回路要素である
ことを特徴とする接続装置。
【請求項９】
互いに異なる種類の回路基板の群を、それぞれ受け入れ可能な、スロット群を有し、各スロット群は、ｋ番目の種類の回路基板群を受け入れる、第Ｓｋから第Ｅｋ番までのスロットを含んでなる、接続基板上に設けられる回路要素を有する接続装置であって、
前記回路要素は、第Ｓｋ＋ｉ番目（Ｓｋ＋ｉ≦Ｅｋ）のスロットに対応して設けられ、当該第Ｓｋ＋ｉ番目（Ｓｋ＋ｉ≦Ｅｋ）のスロットにｋ番目の種類の回路基板が挿入された場合に、第ＳｋからＳｋ＋ｉ−１番目までのスロットの少なくとも一つに挿入されているｋ番目の種類の回路基板側のそれぞれの回路の少なくとも一部に電気的に結合して作動し、各回路基板上の遅延対象回路における起動遅延時間を、それぞれ所定時間だけ延長させる回路要素である
ことを特徴とする接続装置。
【発明の詳細な説明】
【技術分野】
【０００１】
本発明は、複数の回路基板を受け入れる接続基板を備えた接続装置に関する。
【背景技術】
【０００２】
携帯電話機の基地局など、故障の発生が直ちにサービスの低下につながる装置については、高度の信頼性が求められている。こうした装置では、内部の回路構成を複数個並列に配し、通常時は、当該複数の回路を並列的に作動させて処理効率を高め、いずれかの回路構成に故障が生じたときには、故障した回路構成を除く、残りの回路構成で処理を維持する構成（いわゆるフォールトトレラント構成）を採用している。これらの回路構成は、一般に活線挿抜可能な基板上にそれぞれ形成され、サービスを稼働させながら故障箇所の交換を可能としている。
【０００３】
こうした複数の回路構成は、いずれも略等価な回路からなるので、起動時の電流変動の時間変化が略一致してしまい、その結果、例えば装置全体の起動時（設置の際やメンテナンス完了後の再起動時など）において、電源に対する負荷が大きくなったり、回路に対して十分な電力が供給されず、起動時の動作に障害が生じることもある。
【特許文献１】特開平６−１５１０１８号公報
【発明の開示】
【発明が解決しようとする課題】
【０００４】
そこで、上記従来のフォールトトレラント構成の装置において、起動時の電流変動に対する対策として、例えば図６に示すように、回路基板ごとに異なる遅延時間で起動開始タイミングを遅延させる構成が考えられている（図６の回路では遅延時間の決定にキャパシタＣを利用しており、Ｃ１＜Ｃ２…となっているとする）。しかしながら、この図６の構成によると、例えば第１スロットＳ１に接続される回路基板では、他のスロットに何も接続されていなくても、キャパシタＣ１とＣ２との並列接続結果（容量Ｃ１＋Ｃ２）に対応する遅延時間（この遅延時間は２Ｃ１より大きい）だけ遅延して起動することとなって、装置全体が動作するまでの時間が長くなってしまうという問題点があった。なお、ここでは遅延時間τが総容量Ｃに関して単調増加する関数（例えばＲＣ回路のように比例関係）となっているとする。
【０００５】
ちなみに、活線挿抜時の突入電流による障害を防止するための回路構成が特許文献１に開示されている。
【０００６】
本発明は上記実情に鑑みて為されたもので、比較的短時間で装置を起動できる接続装置を提供することを、その目的の一つとする。
【０００７】
また、本発明の別の目的の一つは、構成を簡便なものとすることである。
【課題を解決するための手段】
【０００８】
上記従来例の問題点を解決するための本発明は、複数の回路基板を受け入れる接続装置であって、前記受け入れた回路基板の数に基づいて、各回路基板に対応して互いに異なる起動遅延時間を決定する手段と、前記決定された起動遅延時間に関する信号を対応する各回路基板に出力する手段と、を含み、各回路基板が、前記出力された起動遅延時間だけ待機してから起動するよう制御されることを特徴としている。
【０００９】
また、上記従来例の問題点を解決するための本発明は、それぞれが回路基板を受け入れ可能な、第１から第ｎ番までのスロットを具備する接続基板上に設けられる回路要素を有する接続装置であって、前記回路要素は、第ｉ番目のスロットに対応して設けられ、第１から第ｉ−１番目までのスロットの少なくとも一つに挿入されている回路基板のそれぞれに対応する起動遅延時間を、それぞれ所定時間だけ延長させ、第ｉ番目のスロットに回路基板が挿入された場合にのみ作動する回路要素であることを特徴としている。
【００１０】
これにより、例えば第１番目のスロットと、第３番目のスロットとに回路基板が接続されると、第１番目のスロットに接続された回路基板に対する起動遅延時間が第３番目のスロットに対応して設けられた回路要素によって所定時間だけ延長され、第３番目のスロットに接続された回路基板に対する起動遅延時間は延長されない（第４番目以降のスロットに回路基板が接続されないため）。すなわち、第３番目のスロットに接続された回路基板上の回路は予め定められた起動遅延時間だけ後に起動し、第１番目のスロットに接続された回路基板上の回路は、当該予め定められた起動遅延時間と上記所定時間とを加算した時間だけ後に起動することとなり、最大遅延時間は、スロットに接続されている回路基板の数−１の値と所定時間との積とによって定まる時間程度に収まり、比較的短時間に装置が起動する。
【００１１】
また、上記従来例の問題点を解決するための本発明は、起動を遅延させる対象となる遅延対象回路をそれぞれ含む回路基板を受け入れ可能な、第１から第ｎ番までのスロットを具備する接続基板上に設けられる回路要素を有する接続装置であって、前記回路要素は、第ｉ番目のスロットに対応して設けられ、当該第ｉ番目のスロットに回路基板が挿入された場合に、第１から第ｉ−１番目までのスロットの少なくとも一つに挿入されている回路基板側のそれぞれの回路の少なくとも一部に電気的に結合して作動し、各遅延対象回路における起動遅延時間をそれぞれ所定時間だけ延長させる回路要素であることを特徴としている。
【００１２】
ここで、延長される前記所定時間を決める前記回路要素は、第１から第ｎ番までのスロットに対応して設けられ、略共通であってもよい。また、前記回路要素は、キャパシタ、リアクタンス、抵抗器のいずれかを少なくとも一つ含んでなることとしてもよい。
【００１３】
さらに、上記従来例の問題点を解決するための本発明は、上述の接続装置のスロットを具備する接続基板に挿入される回路基板であって、前記スロットを具備する接続基板側の回路要素によって決定された起動遅延時間だけ、起動時間を遅延させる起動遅延手段と、接続されたスロットに対応して設けられた回路要素を作動させる手段と、を含むことを特徴としている。
【００１４】
ここで前記回路要素を作動させる手段は、前記回路要素とともに閉回路を形成する配線であることとしてもよい。これにより構成をより簡便なものとすることができる。
【００１５】
上記従来例の問題点を解決するための本発明は、互いに異なる種類の回路基板の群を、それぞれ受け入れ可能な、スロット群を有し、各スロット群は、ｋ番目の種類の回路基板群を受け入れる、第Ｓｋから第Ｅｋ番までのスロットを含んでなる、接続基板上に設けられる回路要素を有する接続装置であって、前記回路要素は、第Ｓｋ＋ｉ番目（Ｓｋ＋ｉ≦Ｅｋ）のスロットに対応して設けられ、第Ｓｋ＋ｉ番目のスロットに回路基板が挿入された場合にのみ作動して、第Ｓｋから第Ｓｋ＋ｉ−１番目までのスロットの少なくとも一つに挿入されている回路基板にそれぞれ対応する起動遅延時間を、それぞれ所定時間だけ延長させる回路要素であることを特徴としている。
【００１６】
また、上記従来例の問題点を解決するための本発明は、互いに異なる種類の回路基板の群を、それぞれ受け入れ可能な、スロット群を有し、各スロット群は、ｋ番目の種類の回路基板群を受け入れる、第Ｓｋから第Ｅｋ番までのスロットを含んでなる、接続基板上に設けられる回路要素を有する接続装置であって、前記回路要素は、第Ｓｋ＋ｉ番目（Ｓｋ＋ｉ≦Ｅｋ）のスロットに対応して設けられ、当該第Ｓｋ＋ｉ番目（Ｓｋ＋ｉ≦Ｅｋ）のスロットにｋ番目の種類の回路基板が挿入された場合に、第ＳｋからＳｋ＋ｉ−１番目までのスロットの少なくとも一つに挿入されているｋ番目の種類の回路基板側のそれぞれの回路の少なくとも一部に電気的に結合して作動し、各回路基板上の遅延対象回路における起動遅延時間を、それぞれ所定時間だけ延長させる回路要素であることを特徴としている。
【発明を実施するための最良の形態】
【００１７】
本発明の第１の実施の形態について図面を参照しながら説明する。本実施の形態に係る接続装置（冗長構成を有するフォールトトレラント装置）は、図１に示すように、それぞれが回路基板２を受け入れ可能となっている複数のスロット１１−１から１１−ｎを有するバックプレーンなどの接続基板１と、このスロットに挿入される少なくとも一つの回路基板２とを含んで構成される。また、接続基板１上には、スロット１１に対応して設けられている遅延時間決定回路要素１２−１から１２−ｎが設けられている。これら遅延時間決定回路要素１２は、対応するスロット１１に回路基板が挿入されたときに、当該対応するスロット１１内の端子を介して回路基板側の回路の少なくとも一部に電気的に結合できるようになっている。
【００１８】
本実施の形態では、これら遅延時間決定回路要素１２−１から１２−ｎのうち、ｉ番目の遅延時間決定回路要素１２−ｉは、図２に示すように、ｉ−１個のキャパシタＣ（以下、このｉ番目の遅延時間決定回路要素に含まれるｋ番目のＣの容量を、Ｃ（ｉ，ｋ）と表す（ここでｋは、１≦ｋ≦ｉ−１））を含んでなり、各キャパシタＣの一端は、それぞれ対応するｉ番目のスロット１１−ｉ内のｉ−１個の端子に接続され、他端は、それぞれ第１から第ｉ−１番目までの遅延時間決定回路要素１２に接続されている。
【００１９】
図１において、各遅延時間決定回路要素１２−ｉには、第１番目から第ｉ−１番目の遅延時間決定回路要素１２のそれぞれを起点とするｉ−１本の接続線１３によって相互に接続されており、ｉ−１個の各キャパシタＣの上記他端側は、ｉ−１本の接続線１３のうち、互いに異なる接続線１３にそれぞれ接続されている。
【００２０】
また、本実施の形態では、第ｉ番目の遅延時間決定回路要素１２−ｉにおいて、一端が共通線１４（ここでは共通線１４は、グランド（ＧＮＤ）として図示している）に接続され、他端が上記接続線１３のうち、当該第ｉ番目の遅延時間決定回路要素１２−ｉを起点とする接続線１３−ｉに接続されている、キャパシタＣ′（以下、この第ｉ番目の遅延時間決定回路要素１２−ｉに対応するキャパシタＣ′の容量をＣ′（ｉ）と表す）を含む。
【００２１】
ここで、キャパシタＣ及びキャパシタＣ′の容量は、いずれも同一であってもよいし、異なっていてもよい。なお、キャパシタＣやＣ′の容量については、後に述べる。
【００２２】
回路基板２は、図３に示すように、挿抜監視部２１と、遅延制御部２２と、スイッチ２３と、主回路部２４と、遅延作動回路２５とを含む。ここで主回路部２４が、起動の遅延を行わせる対象となる回路（本発明にいう遅延対象回路）である。
【００２３】
挿抜監視部２１は、基本的には、基板回路２が接続基板１に対して接続（接続基板１上のスロット１１に挿入）されたか否かを監視しており、基板回路２が接続基板１に対して接続されたときに、その旨を表す信号を出力して、スイッチ２３をオンとするものである。本実施の形態では、この挿抜監視部２１の出力する信号が、遅延制御部２２に入力されるようになっている。
【００２４】
遅延制御部２２は、挿抜監視部２１から基板回路２が接続基板１に対して接続されたことを表す信号の入力を受けると、当該遅延制御部２２を含む回路基板２の接続されている、接続基板１上のスロット１１に対応して設けられている遅延時間決定回路要素１２を起点とする接続線１３上のキャパシタＣ，Ｃ′によって決定される遅延時間だけ待ってから、当該入力された信号をスイッチ２３に出力して、スイッチ２３をオンとする。この遅延制御部２２の具体的回路は、広く知られている遅延回路を用いることができるので、その詳細な説明を省略する。なお、ここではこの遅延制御部２２の遅延時間τが遅延時間決定回路要素１２を介して接続されるキャパシタ群の総容量に関して単調増加する関数となっているとする。
【００２５】
スイッチ２３は、図示しない電源に接続されるもので、回路基板２が接続基板１に接続されていないときには、オフとなっている。このスイッチ２３は、遅延制御部２２から基板回路２が接続基板１に対して接続されたことを表す信号の入力を受けたときにオンとなって、電源から供給される電力を、主回路部２４に伝達する。
【００２６】
遅延作動回路２５は、この遅延作動回路２５を含む回路基板２の接続されている、接続基板１上のスロット１１に対応して設けられている遅延時間決定回路要素１２に電気的に結合し、この遅延時間決定回路要素１２に含まれる各キャパシタＣを共通線１４に接続して閉回路を形成して、当該遅延時間決定回路要素１２を作動させる。本実施の形態では、この遅延作動回路２５は、スロット１１を介して接続基板１上の回路に接続される配線であって、特別な回路素子を要しない構成となっている。
【００２７】
次に、本実施の形態の接続装置の動作について説明する。以下では、接続基板１上のスロット１１に対して１以上の回路基板２を接続するいくつかの例を挙げながら説明する。以下の例においては、各回路基板２を挿入している状態で、電源をオンとすることとする。この場合、いずれかのスロット１１に挿入されている各回路基板２上の挿抜監視部２１は、いずれも挿入されていることを検出して、その旨の信号を遅延制御部２２に出力することとなる。
【００２８】
まず、（１）第１番目のスロット１１−１にのみ回路基板２を挿入していた場合、この回路基板２の遅延制御部２２の遅延時間は、遅延時間決定回路要素１２−１のキャパシタＣ′のみによって決定される。なぜなら、これより後段の遅延時間決定回路要素１２−２から１２−ｎに含まれ、接続線１３−１を介して接続されているキャパシタＣは、対応するスロット１１−２から１１−ｎに回路基板２が接続されていないので、スロット１１側の端子が開放（オープン）となっていて、電気的に作動していないからである。従ってこの場合、回路基板２は、キャパシタＣ′によって決定される時間だけ遅延して起動することになる。
【００２９】
なお、このことは１枚の回路基板２をどのスロット１１に挿入しておいても同じである。例えば、第２番目のスロット１１−２にのみ回路基板２を挿入しても、この回路基板２の遅延制御部２２の遅延時間は、遅延時間決定回路要素１２−２のキャパシタＣ′のみによって決定され、このキャパシタＣ′によって決定される時間だけ遅延して起動することになる。
【００３０】
次に（２）第１番目のスロット１１−１と、第３番目のスロット１１ー３とに回路基板２を挿入していた状態で電源をオンとした場合について説明する。この場合、第３番目のスロット１１−３に対応して設けられる遅延時間決定回路要素１２−３のうち、接続線１３−１に接続されているキャパシタＣが、このスロット１１−３に挿入された回路基板２上の遅延作動回路２５に結合し、これを介して共通線１４にも接続されて電気的に作動することとなる。このため、第１番目のスロット１１−１に挿入された回路基板２の遅延制御部２２の遅延時間は、遅延時間決定回路要素１２−１のキャパシタＣ′と、遅延時間決定回路要素１２−３のうち、接続線１３−１に接続されているキャパシタＣとによって決定されることとなる（なお、これらＣ′とＣとは互いに接続線１３−１と、共通線１４との間で並列接続の状態となり、総容量はＣ′（１）＋Ｃ（３，１）と記述することができるようになる）。
【００３１】
一方、第３番目のスロット１１−３に挿入された回路基板２の遅延制御部２２の遅延時間は、遅延時間決定回路要素１２−３のキャパシタＣ′（容量Ｃ′（３））のみによって決定されることになる。
【００３２】
従って、この場合、第１番目のスロット１１−１に挿入された回路基板２上の回路は、総容量Ｃ′（１）＋Ｃ（３，１）によって決定される遅延時間で遅延して起動され、第３番目のスロット１１−３に挿入された回路基板２上の回路は、容量Ｃ′（３）で決定される遅延時間で遅延して起動される。
【００３３】
ここでＣ′（１）＝Ｃ′（３）＝Ｃ（３，１）＝Ｃとしておくと、第１番目のスロット１１−１に挿入された回路基板２上の回路は「２Ｃ」、第３番目のスロット１１−３に挿入された回路基板２上の回路は「Ｃ」で決定される時間だけ遅延して起動することとなって、最も遅く起動する回路でも「２Ｃ」で決定される遅延時間で起動することとなる程度である。
【００３４】
このように、本実施の形態によると、接続線１３−ｉ上に接続されている、第ｉ＋１番目から第ｎ番目までの各遅延時間決定回路要素１２に含まれるキャパシタＣの群は、それぞれ、当該遅延時間決定回路要素１２に対応するスロット１１に回路基板２が挿入されたときに作動して、第ｉ番目のスロット１１−ｉに挿入される回路基板２の起動遅延時間をスロット１１に挿入された回路基板２の起動遅延時間に対して、当該容量Ｃ（ｋ，ｉ）で定められる時間（本発明にいう所定時間）だけ延長することになっている。
【００３５】
これにより、例えば上述のように第１番目のスロットと、第３番目のスロットとに回路基板が接続されると、第１番目のスロットに接続された回路基板に対する起動遅延時間が第３番目のスロットに対応して設けられた回路要素によって所定時間だけ延長され、第３番目のスロットに接続された回路基板に対する起動遅延時間は延長されない（第４番目以降のスロットに回路基板が接続されないため）。すなわち、第３番目のスロットに接続された回路基板上の回路は予め定められた起動遅延時間だけ後に起動し、第１番目のスロットに接続された回路基板上の回路は、当該予め定められた起動遅延時間と上記所定時間とを加算した時間だけ後に起動することとなり、最大遅延時間は、スロットに接続されている回路基板２の数から「１」を引いた数の値と所定時間との積とによって定まる時間程度に収まり、比較的短時間に装置が起動する。
【００３６】
なお、本実施の形態は、ここで示した例に限られるものではない。例えば、ここまでの説明では、挿抜監視部２１、遅延制御部２２、スイッチ２３等が回路基板２上にあるものとしていたが、これらの少なくとも一部は、接続基板１側にあってもよい。例えば、挿抜監視部２１と遅延制御部２２とを接続基板１側に、スイッチ２３を回路基板２側にそれぞれ配しておき、挿抜監視部２１によってスロット１１に回路基板２が挿入されていることが検出されると、遅延制御部２２が対応する遅延時間決定回路要素１２を起点とする接続線１３上のキャパシタＣ，Ｃ′によって定められる遅延時間だけ遅延させて回路基板２側のスイッチ２３をオンとすることとしてもよい。
【００３７】
また、ここまでの説明では、キャパシタＣやＣ′によって遅延時間を調整していたが、リアクタンスや抵抗器などの受動素子、またはフリップフロップ回路等の能動素子を用いても構わない。なお、いずれの場合も、遅延制御部２２の仕様に応じて、各素子の接続状態を調整し、第ｉ番目のスロットに回路基板２が接続されたときに、第１から第ｉ−１番目までのスロットの少なくとも一つに挿入されている回路基板のそれぞれに対応する起動遅延時間を、それぞれ所定時間だけ延長させるように回路を設計しておく。
【００３８】
ここで、上述のようにキャパシタＣやＣ′を用いて遅延時間を定める際の容量の決定方法について説明する。基本的には、これらのキャパシタＣやＣ′は、いずれも同一の容量としておけばよいが、次のように定めてもよい。
【００３９】
すなわち、例えば接続基板１側が第１から第３番目のスロット１１を有している場合、各スロット１１にそれぞれ回路基板２を挿入するか否かのパターン（図４のＸ）によって、各回路基板２上の回路の起動遅延時間は、図４のＹのように定まる。そこで、各パターンのエントリ（Ｅ）ごとに各起動遅延時間が異なるように、ＣやＣ′の容量を決定すればよい。
【００４０】
例えば図４に示した例の場合、第４番目のエントリＥ４により、Ｃ′（１）＋Ｃ（２，１）とＣ′（２）とが異なり、かつ、第５番目のエントリＥ５により、Ｃ′（１）＋Ｃ（３，１）とＣ′（３）とが異なり、かつ第６番目のエントリＥ６によりＣ′（２）＋Ｃ（３，２）とＣ′（３）とが異なり、かつ第７番目のエントリＥ７により、Ｃ′（１）＋Ｃ（２，１）＋Ｃ（３，１）とＣ′（２）＋Ｃ（３，２）とＣ′（３）とが互いに異なるように各容量を決定する。
【００４１】
なお、回路基板の挿入パターンごとに、対応するエントリ上の容量同士が互いに異なるように、動的にＣやＣ′の容量を調整してもよい。
【００４２】
また、本発明の接続装置は、コンピュータを用いて制御するようにしてもよいので、以下、コンピュータ制御によって、本発明の制御装置を実現する、第２の実施の形態について説明する。
【００４３】
本実施の形態の接続装置は、図５に示すように、スロット１１−１から１１−ｎと、枚数検出部３１と、遅延時間決定部３２とを含む接続基板１′と、この接続基板１′のスロット１１のいずれかに挿入される回路基板２′とを有する。
【００４４】
ここで、枚数検出部３１は、回路基板２′が挿入されているスロット１１の数を検出して、当該数を表す情報を遅延時間決定部３２に出力する。遅延時間決定部３２は、枚数検出部３１から入力される情報から、各回路基板２′の起動遅延時間を決定する。ここで決定される起動遅延時間は、互いに異なる時間として決定する。具体的に枚数検出部３１から入力される情報によって表される数がＮであったとすると、予め定められた単位時間τ0を用いて、τ0，２×τ0，…Ｎ×τ0の遅延時間のセットを生成し、例えば第１番目のスロットから順に、回路基板２′が挿入されているスロット１１を介してτ0からＮ×τ0まで順次遅延時間の設定信号として出力する。
【００４５】
回路基板２′側では、この設定信号の入力を受けて、当該設定信号に示される時間だけ待ってから電源を主回路（遅延対象回路）に対して供給する。
【００４６】
このような第２の実施の形態の接続装置によっても、第１の実施の形態の接続装置と同様の効果を得ることができる。
【００４７】
また、ここで示した第１、第２の実施の形態の例では、回路基板２や２′が一種類であったが、複数種類がある場合には、各種類ごとに上記遅延時間の決定を行うようにすればよい。ここで回路基板２，２′の種類は、電源投入時の電流変動パターンごとに分類して規定することが好ましいが、一般に回路の内容が異なれば電流変動パターンも異なると考えられるので、主回路部分の種類ごとに分類して規定すればよい。
【００４８】
そして、接続基板１，１′上の各スロット１１を、受け入れる回路基板２，２′の種類ごとにスロット群に分けておき、ｋ番目の種類の回路基板２，２′を受け入れるスロット群について、そのスロット群の第１番目のスロット（第Ｓｋ番目のスロット）からそのスロット群の第ｎ番目のスロット（第Ｅｋ番目のスロット）までについて、図２や図５に示した構成を適用すればよい。
【００４９】
これにより、例えば図２に示した構成を適用すれば、第Ｓｋ＋ｉ番目（Ｓｋ＋ｉ≦Ｅｋ）のスロットに回路基板２が挿入されたときには、第Ｓｋから第Ｓｋ＋ｉ−１番目までのスロットの少なくとも一つに挿入されている回路基板２にそれぞれ対応する起動遅延時間を、それぞれ所定時間だけ延長させるようにキャパシタＣが作動し、回路基板群ごとに、上記第１、第２の実施の形態で説明した動作が行われることとなる。
【図面の簡単な説明】
【００５０】
【図１】本発明の第１の実施の形態に係る接続装置の構成を表すブロック図である。
【図２】図１において遅延時間決定回路要素の内部回路を表す説明図である。
【図３】回路基板の構成例を表すブロック図である。
【図４】キャパシタの容量の設定例を表す説明図である。
【図５】本発明の第２の実施の形態に係る接続装置の構成を表すブロック図である。
【図６】従来の装置に対して起動遅延時間を調整するために考案された構成の例を表す説明図である。
【符号の説明】
【００５１】
１，１′  接続基板、２，２′  回路基板、１１  スロット、１２  遅延時間決定回路要素、１３  接続線、１４  共通線、２１  挿抜監視部、２２  遅延制御部、２３  スイッチ、２４  主回路部、２５  遅延作動回路、３１  枚数検出部、３２  遅延時間決定部。
【図１】
2005109011.tif 000003
【図２】
2005109011.tif 000004
【図３】
2005109011.tif 000005
【図４】
2005109011.tif 000006
【図５】
2005109011.tif 000007
【図６】
2005109011.tif 000008